(57)【要約】【課題】  大径ピース口付天板シートによりノズルの周囲からゴミが入りにくく、φ１４０ｍｍの大径栓を使用することにより、短時間に充填することができる。  また、オープンドラム缶への内袋・大径ピース口付天板シートの取付方法により、特に内袋内のゴミを外へ放出することができ、安心して充填できるものである。  さらに、ピース口付内袋により、大径φ１４０ｍｍ口栓クローズドラム缶の口栓より挿入して使用することができ、便利である。【解決手段】  大径外ネジ大栓付天板を設けてなるオープンドラム缶に使用するもので、天板シートに円筒状の大径ピース口を設けてなることを特徴とする。【選択図】  図１
2007015761.tif 000002
【特許請求の範囲】
【請求項１】
大径外ネジ大栓付天板を設けてなるオープンドラム缶に使用するもので、天板シートに円筒状の大径ピース口を設けてなることを特徴とする大径ピース口付天板シート。
【請求項２】
大径が、φ１４０ｍｍであることを特徴とする請求項１記載の大径ピース口付天板シート。
【請求項３】
ピース口が、天板シートの上方に上部ピース口を下方に下部ピース口を一体形成してなることを特徴とする請求項１又は２記載の大径ピース口付天板シート。
【請求項４】
ピース口の少なくとも上端外周に係止部を形設になることを特徴とする請求項１、２又は３記載の大径ピース口付天板シート。
【請求項５】
ドラム胴体に内袋を入れ、内袋とドラム胴体の接触面に吸引ホースを入れ、内袋とドラム胴体を密着させた後、エアーブローにて内部のゴミ等を外へ排出し、上記請求項１ないし３の大径ピース口付天板シートをドラム胴体の上面にセットし、その上方から大径外ネジ大栓付天板をセットし、大径ピース口付天板シートの外周をバンド等にて、締め付け固定してなることを特徴とするオープンドラム缶への内袋・大径ピース口付天板シートの取付方法。
【請求項６】
大径φ１４０ｍｍ口栓クローズドラム缶に使用するもので、内袋の上面に栓とほぼ同径のピース口を一体に設けてなることを特徴とするピース口付内袋。
【請求項７】
大径φ１４０ｍｍ口栓クローズドラム缶の口栓より、ピース口付内袋の内袋を圧縮した状態で挿入してなることを特徴とするクローズドラム缶へのピース口付内袋の取付方法。
【発明の詳細な説明】
【技術分野】
【０００１】  本発明は、主に塗料用の各種ドラム缶を再利用するための大径ピース口付天板シート及びオープンドラム缶への内袋・大径ピース口付天板シートの取付方法並びにピース口付内袋及びクローズドラム缶へのピース口付内袋の取付方法に関するものである。
【背景技術】
【０００２】  従来の技術としては、外側容器の内側に天板面に注入口栓部を有する合成樹脂膜製内装袋を具備する複合容器において、上記内装袋の天板面をその周上縁よりやや下方にて水平保持するとともに、前記注入口栓部を引伸ばし可能な二重構造とし、かつ引伸ばした口栓部を結束可能な柔軟性材料で構成したことを特徴とする複合容器がある。（特許文献１参照）【０００３】  また、他の従来技術として、厚みが０．０５〜０．５ｍｍ、表面漏洩抵抗値が１．０×１０１２Ω以下である、ポリエチレン製内袋シートあるいはポリエチレンとナイロンのラミネート型内袋シートが装着された塗料用ドラム缶がある。（特許文献２参照）
【特許文献１】実公平４−１４３６４号公報
【特許文献２】特開２０００−３０９３７３号公報
【発明の開示】
【発明が解決しようとする課題】
【０００４】  上記前者においては、注入口栓部が引伸ばし可能な二重構造であり、加工が複雑となり、必然的にコスト高となる。
また、充填する時に必要以上の隙間が発生し、ゴミ等が入り易くなる問題点がある。【０００５】  上記後者においては、蓋部が上方のみに突設した形態であり、これもまた上記同様ゴミ等が入り易いものである。【０００６】  本発明は、上記の問題点に鑑みなされたもので、その目的は、大径ピース口付天板シートによりノズルの周囲からゴミが入りにくく、φ１４０ｍｍの大径栓を使用することにより、短時間に充填することができる。
また、オープンドラム缶への内袋・大径ピース口付天板シートの取付方法により、特に内袋内のゴミを外へ放出することができ、安心して充填できるものである。
さらに、ピース口付内袋により、大径φ１４０ｍｍ口栓クローズドラム缶の口栓より挿入して使用することができ、便利である。
さらにまた、オープンドラム缶もクローズドラム缶も再利用できるものである。
【課題を解決するための手段】
【０００７】  本発明は、上記目的を達成するために、大径外ネジ大栓付天板を設けてなるオープンドラム缶に使用するもので、天板シートに円筒状の大径ピース口を設けてなる。また、その大径が、φ１４０ｍｍである。さらに、ピース口が、天板シートの上方に上部ピース口を下方に下部ピース口を一体形成してなる。またさらに、ピース口の少なくとも上端外周に係止部を形設になる。そして、ドラム胴体に内袋を入れ、内袋とドラム胴体の接触面に吸引ホースを入れ、内袋とドラム胴体を密着させた後、エアーブローにて内部のゴミ等を外へ排出し、大径ピース口付天板シートをドラム胴体の上面にセットし、その上方から大径外ネジ大栓付天板をセットし、大径ピース口付天板シートの外周をバンド等にて、締め付け固定してなることを特徴とする。
また、大径φ１４０ｍｍ口栓クローズドラム缶に使用するもので、内袋の上面に栓とほぼ同径のピース口を一体に設けてなり、大径φ１４０ｍｍ口栓クローズドラム缶の口栓より、ピース口付内袋の内袋を圧縮した状態で挿入してなることを特徴とする。
【発明の効果】
【０００８】１）、大径ピース口付天板シートにおいては、天板シートに円筒状大径（例えば、φ１４０ｍｍ）のピース口を上下に一体成形してなり、下部ピース口と重合させ、その中にノズルを入れることにより、充填時においてドラム胴体内の空気は下部ピースに沿って外へ放出されるため、上方からのゴミが入り込むことを防止することができる。
２）、オープンドラム缶への内袋・大径ピース口付天板シートの取付方法においては、特にエアーブローにて内部のゴミ等を外へ放出できるため充填物（例えば、塗料等）にゴミが混合されることなく、使用できるものである。
３）、ピース口付内袋においては、大径φ１４０ｍｍ口栓クローズドラム缶に使用できるもので、口栓の上方より簡単に挿入できるものである。
４）、クローズドラム缶へのピース口付内袋の取付方法においては、大径φ１４０ｍｍ口栓クローズドラム缶に、ピース口付内袋の内袋を圧縮した状態で口栓の上方より挿入するもので、その他、ピース口よりノズルを挿入し、塗料等を充填することができる。また、ピース口付内袋を交換することで、クローズドラム缶も再利用できる。
【発明の実施するための最良の形態】
【０００９】  以下、本発明の実施の形態を下記に述べる。
大径ピース口付天板シート１は、静電気防止機能を有するポリエチレン製等による一枚の四角形状の天板シート１ａの中央やや右寄りに、円筒状大径（例えば、φ１４０ｍｍ）のピース口１ｂを設けてなるもので、上部ピース口１ｂ１と下部ピース口１ｂ２により構成される。
【００１０】  上記大径ピース口付天板シート１を使用してなるオープンドラム缶への内袋・大径ピース口付天板シートの取付方法について述べる。
まず、ドラム胴体ＤＤに内袋ＮＴを入れる。
つぎに、内袋ＮＴとドラム胴体ＤＤの接触面に吸引ホースＫＨを入れ、吸入装置ＫＳを作動させ、内袋ＮＴとドラム胴体ＤＤを密着させる。
その後、内袋ＮＴ内をエアーブローＥにてゴミ等を外へ排出する。
つづいて、上記大径ピース口付天板シート１をドラム胴体ＤＤの上面にセットし、その上方から大径外ネジ大栓付天板ＴＢをセットする。
この時、ピース口１ｂの上部ピース口１ｂ１を栓Ｓに通し、位置を確認した後、ピース口をドラム内へ押し込み外ネジ栓で密閉する。（図４参照）
最後に大径外ネジ大栓付天板ＴＢの外周をバンドＢにて締め付けて固定する。（図３参照）
【００１１】  この状態で、栓Ｓ内にノズルＮを挿入し、塗料Ｔ（充填物）を内袋ＮＴ内に流入させる。なお、この時、内袋ＮＴ内の空気Ｋは下部ピース口１ｂ２に沿って外へ放出され、インシロックによりピース口を結束し、その後栓Ｓにキャップ（図示せず）されるため、ゴミが入らない。
【００１２】  また、内容物（充填物）使用後は、バンドＢを外し、大径外ネジ大栓付天板ＴＢを取り外し、大径ピース口付天板シート１及び内袋ＮＴを取り外し、ドラム胴体ＤＤ及び大径外ネジ大栓付天板ＴＢは再利用するものである。
【００１３】  つぎに、ピース口付内袋について説明する。
ピース口付内袋２は、大径φ１４０ｍｍ口栓クローズドラム缶に使用するもので、大径φ１４０ｍｍ口栓クローズドラム缶の内周面とほぼ同形・同寸法の内袋２ａ上面中央に、栓とほぼ同径のピース口２ｂを一体に設けてなるものである。
【００１４】  クローズドラム缶へのピース口付内袋の取付方法は、上記ピース口付内袋２の内袋２ａをしぼめた状態で、大径φ１４０ｍｍ口栓クローズドラム缶ＫＤの栓ＫＤ１より挿入し、ピース口２ｂを栓ＫＤ１より突出させる。
この状態で、ピース口２ｂよりノズルＮ１を挿入し、塗料Ｔ１等（充填物）を流し込むことにより内袋２ａが広がり（膨らみ）、充填できるものである。
なお、使用後はクローズドラム缶ＫＤよりピース口付内袋ＫＤ１を取り除き、クローズドラム缶ＫＤは再利用するものである。
【００１５】  なお、上記各実施例におけるドラム缶は、基本的に２００Ｌとする。
また、栓の位置は中央や側方等、必要に応じて決めればよい。
さらに、大径ピース口付天板シートやピース口付内袋の材質は、静電気防止機能を有するものであれば、特に限定するものではない。
さらにまた、大径として、φ１４０ｍｍを設定したが、必要に応じてφ１３０ｍｍやφ１５０ｍｍ等も考えられる。
充填物は塗料に限定されるものではなく、粉体やペレット状の物も使用できると共に、ジュース類等も充填することができる。
【図面の簡単な説明】
【００１６】
【図１】    本発明の大径ピース口付天板シートの正面図。
【図２】    本発明の大径ピース口付天板シートの平面図
【図３】    本発明のオープンドラム缶への内袋・大径ピース口付天板シートの取付方法の工程図
【図４】    本発明のオープンドラム缶への内袋・大径ピース口付天板シートの取付方法の使用状態図
【図５】    本発明のピース口付内袋の斜視図
【図６】    本発明ピース口付内袋の内袋をしぼめた斜視図
【図７】    本発明のクローズドラム缶へのピース口付内袋の取付方法に使用するドラム缶の斜視図
【図８】    本発明のクローズドラム缶へのピース口付内袋の取付方法の工程図
【符号の説明】
【００１７】  １−−−大径ピース口付天板シート
１ａ−−大径ピース口付天板シート
１ｂ−−ピース口
１ｂ１−上部ピース口
１ｂ２−下部ピース口
２−−−ピース口付内袋
２ａ−−内袋
ＤＤ−−ドラム胴体
ＮＴ−−内袋
ＫＳ−−吸入装置
Ｅ−−−エアーブロー
ＴＢ−−大径外ネジ大栓付天板
Ｂ−−−バンド
Ｎ−−−ノズル
Ｓ−−−栓
Ｔ−−−塗料
ＫＤ−−クローズドラム缶
【図１】
2007015761.tif 000003
【図２】
2007015761.tif 000004
【図３】
2007015761.tif 000005
【図４】
2007015761.tif 000006
【図５】
2007015761.tif 000007
【図６】
2007015761.tif 000008
【図７】
2007015761.tif 000009
【図８】
2007015761.tif 000010